(57)【要約】【課題】火災の発生を確実判定して、災害の拡大を助長することなく的確に自動運転をおこなう換気装置を提供することを目的とする。【解決手段】空気汚れ検知手段１２の信号を信号処理部１１で演算処理して、発生した空気汚れを判別手段１４で、日常生活で発生する空気汚れと、住宅火災で発生する空気汚れとを判別して、ファンモータ制御手段１７を駆動することにより、適切な換気をおこなうとともに火災発生時に延焼の助長をなくすことができる換気装置を提供するものである。【選択図】図１
2006292209.tif 000002
【特許請求の範囲】
【請求項１】
空気汚れ検知手段と、前記空気汚れ検知手段の信号を演算処理する信号処理部と、前記信号処理部の信号を受けて、発生した空気汚れを区別する判別手段と、前記判別手段の判別に基づいて制御されるファンモータ制御手段および前記ファンモータ制御手段により換気能力が制御され連続換気を行うファンモータを備え、前記信号処理部は、前記空気汚れ検知手段が検出する居室内の空気汚れ濃度変化を演算し、この演算結果に基づいて、前記判別手段は、日常生活で発生する空気汚れと、住宅火災で発生する空気汚れとを判別して、前記ファンモータ制御手段を駆動してファンモータの運転を制御することを特徴とする換気装置。
【請求項２】
判別手段は、空気汚れ濃度略２〜１０ｐｐｍの上昇を検知したとき、日常生活で発生する空気汚れと判別する請求項１記載の換気装置。
【請求項３】
判別手段は、空気汚れ濃度略１５００ｐｐｍの上昇を検出したとき、火災による空気汚れと判別する請求項１記載の換気装置。
【請求項４】
制御手段は、日常生活で発生する空気汚れを検知したときに、換気を開始または、換気風量を増加するようにファンモータの制御をおこなう請求項１記載換気装置。
【請求項５】
判別手段に接続した警報を発する警報部と、前記警報部の警報の有無を制御する警報発令指示部とを備え、判別手段が火災による室内空気汚れを検知したとき、前記警報部が警報を発生するよう構成された請求項１記載の換気装置。
【請求項６】
判別手段の判別出力を直接もしくは赤外線通信部もしくは無線通信部を介して警報を発する警報器などの外部機器に接続できるように構成された請求項１の換気装置。
【請求項７】
請求項１〜６のいずれか記載の換気装置はネットワークインタフェースを備え、このインタフェースによってインターネットに接続した家庭情報端末装置とのネットワークが構成されたネット家電システム。
【請求項８】
家庭情報端末装置は請求項１記載の空気汚れ検知手段の検知出力もしくは演算部の演算結果もしくはファンモータの換気能力を表示する表示部を備えた請求項７記載のネット家電システム。
【請求項９】
家庭情報端末装置は警報を発する警報部を制御する警報発令指示部と警報部およびインターネットを通じて外部に通報する外部通信部を備えた請求項７記載のネット家電システム。
【請求項１０】
家庭情報端末装置は赤外線通信部もしくは無線通信部を通じて住宅内の外部機器と通信する機器制御部を備えた請求項７記載のネット家電システム。
【請求項１１】
家庭情報端末装置は空気汚れ検知手段の検知する空気汚れを時系列で記憶する汚れ変化記憶部を備え、前記汚れ変化記憶部の情報を定期的もしくは要求に応じてインターネットを通じて遠隔地のパソコンもしくは携帯電話機に送出することを特徴とする請求項７記載のネット家電システム。
【発明の詳細な説明】
【技術分野】
【０００１】
本発明は、連続運転の換気装置と換気装置を利用したネット家電システムに関わる。
【背景技術】
【０００２】
従来、換気装置の運転を制御するものとして有毒ガスを検知する有毒ガスセンサと室内で発生した煙を検知する煙検知センサを用いて前記センサのうち少なくとも一方のセンサの検知濃度が所定の濃度以上のときにモータ駆動部を制御して換気扇を運転をさせるものが知られている（例えば、特許文献１参照）。
【０００３】
特許文献１に示すものは、前記各センサが室内の空気状態を検知して、有害ガスが発生したり、火災により煙が発生した場合に換気扇を自動的に作動して、室内の空気を清浄にたもつものであった。
【０００４】
また、これらの用途に用いる自動換気扇にとして特許文献２に示すようなものも提案されている。
【０００５】
特許文献２に示すものは、ガスセンサと温度センサと煙センサを用いて、これら各種センサからの検知信号の内容に応じて災害の発生を判断して、換気扇の運転を制御して、発生した火災の助長を防止したり、ガス漏れ時の爆発の誘発を防止するものであった。
【０００６】
換気扇の制御に利用する場合と防災システムに利用する場合とでセンサの信号処理の方法を変えることにより、１個のセンサが前記２者の用途に適用できるようにしたものである。近年、住宅建材から揮発するトルエンやベンゼンなどの化学物質による健康への障害、いわゆるシックハウス症候群に対する対策が要望されている。このような背景のもと、建築基準法が改正され、新築住宅にあっては、部屋毎の換気装置の設置が義務づけられ、また、技術基準も設定された。
【０００７】
この技術基準によれば、終日連続運転（２４時間）の換気装置が必要となり、そのような換気装置を新築住宅はもとより既築住宅の各部屋に普及が広がることが予測される。
【特許文献１】特開昭６４−６６３５号公報
【特許文献２】特開平７−２３３９８１号公報
【発明の開示】
【発明が解決しようとする課題】
【０００８】
このような終日連続運転の換気装置の自動運転に前述の従来技術を応用した場合、換気装置は空気の汚れが検知された場合の強モードの運転と空気汚れが検知されない場合の弱モードの運転とで制御される。この場合、強モードの運転は在室する人数や燃焼機器の使用状況を考慮して十分な換気が得られる換気能力で運転するよう設定されている必要があるが、住宅内で火災が発生した場合、センサが空気汚れを検知しても居住者へ知らしめることができず換気装置に使用しているセンサの有効活用ができない欠点がある。
【０００９】
この課題を解決する方法として、災害判断手段と災害報知手段を設けた方法を特許文献２で提示されているが、火災の発生の判断について、ガスセンサと煙センサと温度センサの３つのセンサからの検出信号を総合的に診断しているが、具体的に通常の生活で発生する空気状態と火災が発生した場合空気状態を区別するための技術が開示されていないため実現ができていない。
【００１０】
本発明はこのような課題を解決し、火災の発生を確実判定して、災害の拡大を助長することなく的確に自動運転をおこなう換気装置を提供することを第一の目的とする。
【００１１】
また、本発明の第２の目的は第１の目的の換気装置を複数それぞれ家庭情報端末装置と連携させて、換気装置を利用したネットワーク家電システムを構成することにより、住宅内でそれぞれの換気装置を連携させて動作させて、住宅全体の換気を効率よくおこない、換気装置単独ではなし得ない新たな利用価値を提供することにある。
【課題を解決するための手段】
【００１２】
本発明の換気装置は上記第１の目的を達成するために、空気汚れ検知手段と、前記空気汚れ検知手段の信号を演算処理する信号処理部と、前記信号処理部の信号を受けて、発生した空気汚れを区別する判別手段と、前記判別手段の判別に基づいて制御されるファンモータ制御手段および前記ファンモータ制御手段により換気能力が制御され連続換気を行うファンモータを備え、前記信号処理部は、前記空気汚れ検知手段が検出する居室内の空気汚れ濃度変化を演算し、この演算結果に基づいて、前記判別手段は、日常生活で発生する空気汚れと、住宅火災で発生する空気汚れとを判別して、前記ファンモータ制御手段を駆動してファンモータの運転を制御することを特徴としたものである。
【００１３】
また、上記第１の目的を達成するために、判別手段は、空気汚れ濃度略２〜１０ｐｐｍの上昇を検知したとき、日常生活で発生する空気汚れと判別して、ファンモータ制御手段を駆動してファンモータの運転を制御することを特徴としたものである。
【００１４】
また、上記第１の目的を達成するために、判別手段は、空気汚れ濃度略５００ｐｐｍの上昇を検出したとき、火災による空気汚れと判別して、ファンモータ制御手段を駆動してファンモータの運転を制御することを特徴としたものである。
【００１５】
また、上記第１の目的を達成するために、制御手段は、日常生活で発生する空気汚れを検知したときに、換気を開始または、換気風量を増加するようにファンモータの制御をおこなうことを特徴としたものである。
【００１６】
また、上記第１の目的を達成するために、判別手段に接続した警報を発する警報部と、前記警報部の警報の有無を制御する警報発令指示部とを備え、判別手段が火災による室内空気汚れを検知したとき、前記警報部が警報を発生するよう構成し、ファンモータの運転を制御することを特徴とする。
【００１７】
また、上記第１の目的を達成するために、判別手段の判別出力を直接もしくは赤外線通信部もしくは無線通信部を介して警報を発する警報器などの外部機器に接続できるように構成し、ファンモータの運転を制御することを特徴とする。
【００１８】
これらの手段により、換気装置は、通常生活時の空気汚れと火災発生時の空気汚れとを判別して、ファンモータの運転を制御して、適切な換気をおこなうとともに火災発生時に延焼の助長をなくすことが可能になり、安全性を向上することに貢献できる。
【００１９】
本発明の換気装置は、上記第１および第２の目的を達成するために、ネットワークインタフェースを備え、このインタフェースによってインターネットに接続した家庭情報端末装置とのネットワークが構成されたネット家電システムを備えたことを特徴とする。
【００２０】
また、上記第１および第２の目的を達成するために、家庭情報端末装置は警報を発する警報部を制御する警報発令指示部と警報部およびインターネットを通じて外部に通報する外部通信部を備えたネット家電システムの構成を特徴とする。
【００２１】
また、上記第１および２の目的を達成するために、家庭情報端末装置は赤外線通信部もしくは無線通信部を通じて住宅内の外部機器と通信する機器制御部を備えた構成を特徴とする。
【００２２】
これらの手段により、住居内に複数設置される換気装置はそれぞれ家庭情報端末装置のローカルステーション的な役割を発揮することができ、住宅全体の換気システムの制御システムとして、あるいは火災監視制御システムとして、換気装置単独ではなし得ない新しい機能を、特別な構成要素を付加することなく簡素な構成で提供することができる。
【発明の効果】
【００２３】
本発明によれば換気装置は、通常生活時の空気汚れと火災発生時の空気汚れとを判別して、ファンモータの運転を制御して、適切な換気をおこなうとともに火災発生時に延焼の助長をなくすことができる。
【００２４】
また、ネットワーク家電システムとして家庭情報端末装置と共働して住宅全体の換気システムの制御システムとして、あるいは火災監視制御システムとして、新しい機能を提供できる。
【発明を実施するための最良の形態】
【００２５】
本発明の請求項１記載の発明の換気装置は、空気汚れ検知手段と、前記空気汚れ検知手段の信号を演算処理する信号処理部と、前記信号処理部の信号を受けて、発生した空気汚れを区別する判別手段と、前記判別手段の判別に基づいて制御されるファンモータ制御手段および前記ファンモータ制御手段により換気能力が制御され連続換気を行うファンモータを備え、前記信号処理部は、前記空気汚れ検知手段が検出する居室内の空気汚れ濃度変化を演算し、この演算結果に基づいて、前記判別手段は、日常生活で発生する空気汚れと、住宅火災で発生する空気汚れとを判別して、前記ファンモータ制御手段を駆動してファンモータの運転を制御する作用を有する。
【００２６】
請求項２記載の発明は、判別手段は、空気汚れ濃度略２〜１０ｐｐｍの上昇を検知したとき、日常生活で発生する空気汚れと判別して、前記ファンモータ制御手段を駆動してファンモータの運転を制御する作用を有する。
【００２７】
請求項３記載の発明は、判別手段は、空気汚れ濃度略１５００ｐｐｍの上昇を検出したとき、火災による空気汚れと判別して、前記ファンモータ制御手段を駆動してファンモータの運転を制御する作用を有する。
【００２８】
請求項４記載の発明は、制御手段は、日常生活で発生する空気汚れを検知したときに、換気を開始または、換気風量を増加するように前記ファンモータ制御手段を駆動してファンモータの運転を制御する作用を有する。
【００２９】
請求項５記載の発明は、判別手段に接続した警報を発する警報部と、前記警報部の警報の有無を制御する警報発令指示部とを備え、判別手段が火災による室内空気汚れを検知したとき、前記警報部が警報を発生し、前記ファンモータ制御手段を駆動してファンモータの運転を制御する作用を有する。
【００３０】
請求項６記載の発明は、判別手段の判別出力を直接もしくは赤外線通信部もしくは無線通信部を介して警報を発する警報器などの外部機器に接続できるように構成して、前記ファンモータ制御手段を駆動してファンモータの運転を制御する作用を有する。
【００３１】
請求項７記載の発明は、請求項１〜６のいずれか記載の換気装置にネットワークインタフェースを備え、このインタフェースによってインターネットに接続した家庭情報端末装置とのネットワークが構成し、住宅内でそれぞれの換気装置を連携させて動作させる作用を有する。
【００３２】
この手段により、請求項８以下に記載する高度なサービスを行うことができる。
【００３３】
請求項８記載の発明は、家庭情報端末装置は、空気汚れ検知手段の検知出力もしくは判別手段の判定結果もしくはファンモータの換気能力を表示する表示部を備えて、室内の空気汚れ状態や換気装置の運転状態の表示を行う作用を有する。
【００３４】
請求項９記載の発明は、家庭情報端末装置は、警報を発する警報部を制御する警報発令指示部と警報部およびインターネットを通じて外部に通報する外部通信部を備え、家庭情報端末装置あるいは遠隔地のパソコンや携帯電話機で、別室の換気装置の警報部の制御ができ、また万一の場合の火災発生を遠隔地に通報する作用を有する。
【００３５】
請求項１０記載の発明は、  家庭情報端末装置は、赤外線通信部もしくは無線通信部を通じて住宅内の外部機器と通信する機器制御部を備え、住宅内でそれぞれの換気装置を連携させて動作させる作用を有する。
【００３６】
請求項１１記載の発明は、家庭情報端末装置は、空気汚れ検知手段の検知する空気汚れを時系列で記憶する汚れ変化記憶部を備え、前記汚れ変化記憶部の情報を定期的もしくは要求に応じてインターネットを通じて遠隔地のパソコンもしくは携帯電話機に送出する作用を有する。
【００３７】
以下、本発明の実施の形態について図面を参照しながら説明する。
【００３８】
（実施の形態１）
図１は本発明の換気装置と換気装置を利用したネット家電システムの構成を示す。
【００３９】
図１において換気装置１０は、信号処理部１１に空気汚れ検知手段１２が入力として接続されている。
【００４０】
空気汚れ検知手段１２は室内空気汚れを検知する雑ガスセンサ１３で、水素やアルコール、一酸化炭素等のガスに対して検知感度を有し、信号処理部１１に直接接続されている。
【００４１】
信号処理部１１にはその出力として判別手段１４が接続され、その出力をＰＷＭ制御回路などのファンモータ制御手段１７が接続され、このファンモータ制御手段１７にはファンモータ１８が接続されている。
【００４２】
また、判別手段１４には、スピーカなどの警報部１９が接続され、警報部１９の発令動作を制御するスイッチなどの警報発令指示部２０が接続されている。
【００４３】
さらに、判別手段１４には、空気汚れの検出時および空気汚れの検知されなくなった時に、この状態を外部に伝達して室内への給気路を確保する給気ダンパなどの外部機器（図示していない）を連動動作させるための無電圧接点などの空気汚れ検出信号端子２１と、外部との通信を行う赤外線通信部２２および無線通信部２３と、インタフェース２４が接続されていて、家庭情報端末装置３０と通信を行う。
【００４４】
インタフェース２４は有線系のイーサー（Ｅｔｈｅｒ）やＵＳＢ（ユニバーサル、システム、バス）もしくは無線ＬＡＮ（ＩＥＥＥ８０２．１１Ｘ）や無線式のエコーネット（ＥＣＨＯＮＥＴ）などである。
【００４５】
なお、信号処理部１１および判別手段１４は、マイコンとＲＡＭ、ＲＯＭ、カウンタなどを協働させるプログラムの形態で構成さている。
【００４６】
つぎに家庭情報端末装置３０は、信号処理部３１に換気装置１０の信号処理部１１が処理した空気汚れ検出手段１２の信号を表示する表示部３２と警報部３３が接続されている。
【００４７】
また、信号処理部３１には換気装置１０の警報部１９の発令動作を制御する警報発令指示部３４と、同じく赤外線通信部２２もしくは無線通信部２３を介して外部機器への給電、断電、および動作を制御する機器制御部３５が接続されている。
【００４８】
また、信号処理部３１には換気装置１０の判別手段１４との通信を行うためのインタフェース３６とインターネット３７に接続するための外部通信部３８が接続されている。
【００４９】
さらに、信号処理部３１には、図示していないが、空気汚れ記憶部３９があり、インタフェース３６から時系列的に得た空気汚れ情報を記憶するものである。
【００５０】
なお、信号処理部３１は換気装置１０の信号処理部１１と同様にマイコンのプログラムの形態で構成されている。
【００５１】
以上の構成で、換気装置１０の動作と、続いて家庭情報端末装置３０の動作を図２〜図４を用いて説明する。
【００５２】
図２を用いて換気装置の自動運転動作について説明する。図２は、換気装置１０の動作の主要部分を示すフローチャート図である。
【００５３】
換気装置１０は、通常時の換気能力が建築基準法の技術基準を満足する最低レベル設定でファンモータが運転されて、このときのファンモータ１８は弱で運転するように設定している。喫煙をおこなって室内の空気が汚れると、空気汚れ検知手段１２は、タバコ煙中に含まれる水素やアルコールガス等の濃度検知を検知して、これを信号処理部で処理し空気汚れ濃度の増加量を算出する。つぎに判別手段１４は、前記空気汚れ濃度の増加量を判別して略２〜１０ｐｐｍを越える汚れの増加を検出すると、通常の空気汚れが発生したと判定して、ファンモータ１８を強で運転させることとなる。また、空気汚れ検出信号端子２１へ空気汚れが発生したことを検出信号端子２１部の無電圧接点を「閉」状態にして、前記給気ダンパを駆動してファンモータ１８を強運転したことによる給気風量を確保伝達する。
【００５４】
さらに、赤外線通信部２２および無線通信部２３、インタフェース２４から外部機器が接続されている。
【００５５】
やがて、空気汚れ濃度の増加がおさまり、略２〜１０ｐｐｍ以下のなると、判別手段１４は、ファンモータ１８を弱で運転させることとなる。
【００５６】
しかし、略２〜１０ｐｐｍの汚れの増加がなければ空気汚れがないものとして、ファンモータ１８の風量を変更することはない。
【００５７】
つぎに、室内で火災が発生した場合について、説明をおこなう。
【００５８】
一般に、木造家屋で火災が発生した場合の一酸化炭素濃度の変化は、略２０００ｐｐｍ／ｍｉｎ程度あるといわれている。
【００５９】
室内で火災が発生して、一酸化炭素を主とした燃焼ガスが発生した場合、判別手段１４は、略１５００ｐｐｍを越える汚れの増加を検出すると、火災が発生したと判定してファンモータ１８を停止させ前記検出信号端子２１の無電圧接点を「開」状態にして、給気ダンパを閉じるととものに火災警報を発信する。
【００６０】
しかし、火災の発生ではなく、石油ファンヒータ等の室内燃焼暖房機等を使用した場合Ｃｏ２が発生して室内空気汚れが上昇することがあるが、すでに、空気汚れ濃度の増加が２〜１０ｐｐｍを超えたときにフローチャート上で示すように、ファンモータ１８を強で運転して換気風量をすることで、略１５００ｐｐｍ越える汚れが増加がなく、通常の空気汚れと判定して、空気汚れがなくなるまで、そのままファンモータ１８を強で運転させる。
【００６１】
次に本発明の換気装置の換気能力制御運転以外の機能動作について述べる。
【００６２】
図１において、空気汚れセンサ１２が空気汚れ濃度を検出して、信号処理部１１にて空気汚れ濃度の変化を演算し、さらに判別手段１４で空気汚れ状態を判別した場合、空気汚れ状態は、空気汚れ検出信号端子２１と赤外線通信部２２および無線通信部２３にもそれぞれ信号出力を発生する。
【００６３】
従って、空気汚れ検出信号端子２１に直接、もしくは赤外線通信部２２もしくは無線通信部２３の信号を受信する機能を有する空気汚れ警報器や給気ダンパなどの外部機器を接続すれば、警報器の場合は空気汚れ警報機を別に設けることが不要となる。また、給気ダンパの場合は、換気装置１０のファンモータ１８の動作に連動して動作させることで給気風量を確保して換気を行うことができる。
【００６４】
次に警報部１９と警報発令指示部２０の動作について述べる。
【００６５】
音声報知などの警報部１９は判別手段１４が空気汚れ状態を判定したときに指示して警報を発令するが、この警報を発令するかどうかを警報発令指示部２０にあらかじめ設定した指示にもとづいて行う。
【００６６】
以上が換気装置１０の動作である。以上説明した信号処理部１１および判別手段１４に関わる部分の動作は、マイコン、ＲＡＭ、ＲＯＭ、カウンタなどが協働するプログラムの形態で実行される。
【００６７】
次に家庭情報端末装置３０の動作について図１および図３を用いて説明する。
【００６８】
図３は家庭情報端末置３０の外観を示す図である。
【００６９】
この図は家庭情報端末装置３０が居間に設置され、居間と寝室と台所の３台の換気装置とネットワークを構成した例を示すものである。
【００７０】
家庭情報端末装置３０が３台の換気装置を識別するために、それぞれの換気装置には識別符号（アドレス）が附与されている（図示していない）。
【００７１】
図３において、液晶ディスプレイの表示部３２に居間の換気装置１０の運転中の換気能力が棒グラフ３２ａで表示され、空気汚れ状態を汚れマーク３２ｄで示されているが、これは図１の信号処理部３１が居間の換気装置１０のファンモータ１８の制御状態と空気汚れ検知手段１２が検知している室内の空気汚れ情報を判別手段１４からインタフェース２４、３６を介して収得し表示したものである。同様にして寝室と台所の換気装置から得た情報もそれぞれ換気能力３２ｂ、３２ｃおよび空気汚れ状態マーク３２ｅとして表示されている。
【００７２】
警報部３３は、３台の換気装置１０の警報部１９のいずれかが火災警報を発令したとき警報を発令する。
【００７３】
警報発令指示部３４は押しボタンスイッチ３４ａ、３４ｂ、３４ｃと発令の設定（警戒）時に点灯するランプ３４ｄ、３４ｅ、３４ｆを備えており、居間、寝室、台所に対応して配置されている。居間および寝室は、火災警報が発令されていない状態であることをランプ３４ｄ、３４ｅの消灯を表している。しかし、台所は、空気汚れ状態が高く火災警報が発令された場合のランプ３４ｆの点灯を表している。
【００７４】
この発令モードの解除は押しボタンスイッチ３４ｃを押して実行する。押しボタンスイッチ３４ｃを押すと、信号処理部３１は信号処理部１１との相互通信で信号処理部１１に警報発令の解除を指示し、信号処理部１１からの承諾応答でランプ３４ｆを消灯する。警報の発令（警戒）も同様の手順で３台の任意の換気装置に対して行われる。また換気装置１０側の警報発令指示部２０で発令指示もしくは解除を行った場合も、前述の逆の手順で信号処理部１１と３１の間の通信が行われ警報発令指示部３４の発令モードを表示する該当する場所のランプ３４ｂ〜３４ｆが点灯もしくは消灯する。
【００７５】
前述の警報部３３が発令したとき、どの場所の発令かはランプ３４ｄ〜３４ｆの点滅で知ることができる。
【００７６】
機器制御部３５は、警報発令指示部３４と同様の複数の押しボタンスイッチとランプで構成されている。
【００７７】
居間の換気装置と照明の運転を制御する押しボタンスイッチ３５ａと３５ｂおよび、それぞれの運転状態を示すランプ３５ｃと３５ｄで説明すると、図の状態はランプ３５ｃとランプ３５ｄが点灯しており、換気装置と照明は動作状態にあることを示している。
【００７８】
換気装置の運転の停止は、押しボタンスイッチ３５ａ押してランプ３５ｃの消灯で確認できるがその動作は、警報発令指示部３４の動作で説明したような家庭情報端末装置３０の信号処理部３１と換気装置１０の判別手段１４とインタフェース３６およびインタフェース２４との通信によりおこなわれる。
【００７９】
また、表示部３２に表示される空気の汚れがいつまでも減少しない場合など、居住者の判断で、汚れが発生している部屋の換気装置のファンモータを操作して換気風量を増加させたり、隣接の部屋の換気装置を操作して、住宅全体でいち早く空気の汚れを取り除いたりさせることもできる。
【００８０】
寝室の換気装置と照明の運転を制御する押しボタンスイッチ３５ｅと３５ｆおよびぞれぞれの動作状態を示すランプ３５ｇと３５ｈ、台所の換気装置と照明の運転を制御する押しボタンスイッチ３５ｉと３５ｊおよびぞれぞれの動作状態を示すランプ３５ｋと３５Ｌについても同様なので説明を省略する。
【００８１】
次に、前述したインターネット３７を介して実施される携帯電話機とパソコンに関わる他の機能の動作について携帯電話機の例で説明する。
【００８２】
まず、携帯電話機やパソコンを用いて、家庭情報端末装置３０の空気汚れ記憶部３９から室内空気の汚れ状態を時系列的に知ることができる。
【００８３】
図４において、（ａ）は時刻１時間ごとの室内空気汚れ濃度が、携帯電話機のデイスプレイの棒グラフで示されており、携帯電話機側でこの棒グラフから留守番宅の空気汚れを知ることができる。住宅の換気風量は、住宅内に人が生活していることを前提に設定しているので、外出先から不要な換気装置の動作を制御することができる。
【００８４】
図４（ｂ）は、火災発生を警報として携帯電話機が着信したデイスプレイ内容を示している。火災が発生した日時と場所を表示して、万一の火災発生警報をいち早く、居住者の知らすことができる。また、後日、火災現場検証時の情報として、利用することができる。
【００８５】
次に、照明や換気装置などの機器制御について述べる。
【００８６】
携帯電話機から機器の識別コードを指定して機器制御部３５の情報を信号処理部３１から入手し、照明や換気装置の動作状態を知ることができ、携帯電話機のカーソルボタンなどを操作して照明や換気装置の運転が制御できる。
【００８７】
これら携帯電話機もしくは遠隔地のパソコンからの操作の際には、いたずらの防止や、プライバシイの侵害を避けるために、本人確認用のＩＤコードやパスワードが用いられる。
【００８８】
以上が換気装置を利用したネット家電システムの機能と動作である。以上説明した信号処理部３１に関わる部分の動作は、前述の換気装置１０の信号処理部１１と同様にマイコン、ＲＡＭ、ＲＯＭ、カウンタなどが協働するプログラムの形態で実行される。
【００８９】
以上実施の形態で説明したしたように本発明の換気装置によれば、室内の空気汚れレベルに応じた換気能力で自動運転する換気装置を提供できるので、利用者は換気能力を手動で設定する必要がなく使用性が向上し、また、火災発生を判別して換気を停止し延焼の助長を抑制するとともに火災警報を発令することができる。
【００９０】
また、ネットワーク家電システムとして家庭情報端末装置と共働して、住宅全体の換気システムの制御や火災監視制御システムなどの新しい機能が提供できる。
【００９１】
なお、図３で警報発令指示部３４の押しボタンスイッチ３４ａほかを液晶ディプレイ３６上のタッチパネルスイッチとして設けてもよく、同じくランプ３４ｄほかも液晶表示としてもよい。また、機器制御部３５の押しボタンスイッチ３５ａ以下とランプ３５ｃ以下も同様である。
【産業上の利用可能性】
【００９２】
本発明は火災の発生を検知することができるので換気装置を提供できるので家庭用に限らず病院などの公共施設の設備や旅館など業務用の設備としての用途にも適用できる。
【図面の簡単な説明】
【００９３】
【図１】本発明の実施の形態１の構成を示す図
【図２】同換気装置の動作主要部分を示すフローチャート
【図３】同ネット家電システム家庭情報端末装置の動作を説明するための図
【図４】同ネット家電システム携帯電話機の表示例を示す図
【符号の説明】
【００９４】
１０  換気装置
１１  信号処理部
１２  空気汚れ検知手段
１４  判別手段
１７  ファンモータ制御手段
１８  ファンモータ
１９  警報部
２０  警報発令指示部
２１  空気汚れ検出信号端子
２２  赤外線通信部
２３  無線通信部
２４  インタフェース
３０  家庭情報端末装置
３１  信号処理部
３２  表示部
３３  警報部
３４  警報発令指示部
３５  機器制御部
３６  インタフェース
３７  インターネット
３８  外部通信部
【図１】
2006292209.tif 000003
【図２】
2006292209.tif 000004
【図３】
2006292209.tif 000005
【図４】
2006292209.tif 000006